(57)【要約】【課題】本発明の目的は、インサート成形において、従来の成形機構を大きく変更することなく、インサートされる部品の加工を型締めと同時に行うことができ、成形工程の工程数を少なくし、製造時間を短縮するとともに、製造コストを低減することが可能なインサート成形品の製造方法を提供することにある。【解決手段】インサート成形品Ｓの製造方法に関する。  上型１及び下型２の少なくとも一方に、少なくとも一個の被加工インサート部品Ｐ´をセットする第１の工程と、上型１と下型２を型締めし、この型締めにより生じる物理的力を被加工インサート部品Ｐ´に加えて状態を変化させて、インサート取付部品Ｐとする第２の工程と、上型１及び下型２を型締めすることにより形成されるキャビティＲに溶融樹脂を充填し、インサート取付部品Ｐをモールド状態とし、インサート成形品Ｓを形成する第３の工程とを行う。【選択図】図１
2010131781.tif 000002
【特許請求の範囲】
【請求項１】
インサート成形品の製造方法であって、
上型及び下型の少なくとも一方に、少なくとも一個の被加工インサート部品をセットする第１の工程と、
前記上型と前記下型を型締めし、前記上型及び前記下型の型締めにより生じる物理的力を前記被加工インサート部品に加えて、前記被加工インサート部品の状態を変化させて、インサート取付部品とする第２の工程と、
前記上型及び前記下型を型締めすることにより形成されるキャビティに溶融樹脂を充填し、前記インサート取付部品をモールド状態とし、前記インサート成形品を形成する第３の工程とを行うことを特徴とするインサート成形品の製造方法。
【請求項２】
前記被加工インサート部品は、第１の組付部品と第２の組付部品で構成されており、
前記第１の工程においては、前記上型に前記第１の組付部品をセットするとともに、前記下型に前記第２の組付部品をセットし、
前記第２の工程においては、前記上型及び前記下型の型締めにより生じる物理的力により、前記第１の部品を前記第２の部品に圧入することを特徴とする請求項１に記載のインサート成形品の製造方法。
【請求項３】
前記第１の組付部品は回転電機の回転シャフトであるとともに、前記第２の組付部品はコア部材であり、
前記第２の工程においては、前記コア部材の中心に軸方向に形成されたシャフト貫通孔に、前記回転シャフトを圧入し、
前記第２の工程に次いで、前記上型及び前記下型を型締めすることにより形成されるキャビティに溶融樹脂を充填し、前記インサート取付部品をモールド状態とするとともに、前記コア材の表面にインシュレータをモールド状態とする第３の工程を行うことを特徴とする請求項２に記載のインサート成形品の製造方法。
【請求項４】
前記被加工インサート部品は、第１の組付部品と第２の組付部品で構成されており、
前記第１の工程においては、前記上型に前記第１の組付部品をセットするとともに、前記下型に前記第２の組付部品をセットし、
前記第２の工程においては、前記上型及び前記下型の型締めにより生じる物理的力により、前記第１の部品を前記第２の部品にかしめることを特徴とする請求項１に記載のインサート成形品の製造方法。
【請求項５】
前記第１の工程においては、前記被加工インサート部品は、前記上型若しくは前記下型のいずれか一方にセットされ、
前記上型及び下型のうち前記被加工インサート部品がセットされている側の型には、前記被加工インサート部品の屈曲点付近を支持するガイド部が形成されており、他方の型には、前記屈曲点を境に前記ガイド部が支持する側と反対側に配設された押圧部が形成されており、
前記ガイド部と前記押圧部材は、型締めされた際には前記被加工インサート部品の厚さを超える幅の間隙をもって並列するように構成されており、
前記第２の工程においては、前記上型及び前記下型の型締めにより生じる物理的力により、前記被加工インサート部品は前記押圧部材に押圧されて、前記ガイド部と前記押圧部材とで形成される前記間隙に案内され前記屈曲点を境界として屈曲することを特徴とする請求項１に記載のインサート成形品の製造方法。
【請求項６】
前記第１の工程においては、前記被加工インサート部品は、前記上型若しくは前記下型のいずれか一方にセットされ、
前記上型及び下型のうち前記被加工インサート部品がセットされている側の型には、前記被加工インサート部品の切断点付近を支持するガイド部が形成されており、他方の型には、前記切断点を境に前記ガイド部が支持する側と反対側に配設された押圧部が形成されており、
前記ガイド部と前記押圧部材は、型締めされた際には前記被加工インサート部品の厚さを超えない幅の間隙をもって並列するように構成されており、
前記第２の工程においては、前記上型及び前記下型の型締めにより生じる物理的力により、前記被加工インサート部品は前記押圧部材に押圧されて、前記ガイド部と前記押圧部材とにより生じるせん断力により前記切断点を境界として切断されることを特徴とする請求項１に記載のインサート成形品の製造方法。
【請求項７】
前記第１の工程においては、前記被加工インサート部品は、前記下型にセットされ、
前記下型の、前記被加工インサート部品の打ち抜き点付近には、凹部として屑受け部が形成されるとともに、前記上型には、穿孔用のパンチが備えられ、
前記パンチは、前記打ち抜き点の直上であって、型締めされた際に前記屑受け部に挿入される位置に配設されており、
前記第２の工程においては、前記上型及び前記下型の型締めにより生じる物理的力により、前記被加工インサート部品は前記パンチに押圧されて、前記打ち抜き点を打ち抜くことを特徴とする請求項１に記載のインサート成形品の製造方法。
【発明の詳細な説明】
【技術分野】
【０００１】
本発明は、部品のインサート成形工程において、インサートされる部品の加工も同時に行うことが可能となるインサート成形品の製造方法に関するものである。
【背景技術】
【０００２】
樹脂部品を製造する際には、上型と下型を使用してキャビティを作成し、このキャビティに樹脂を流し込み固化させることにより製造する。
この際、樹脂部品にインサート取付部品が組み込まれる場合には、従来より行われているインサート成形により、成形型にインサート取付部品を投入し、その成形型のキャビティに樹脂を流し込むことにより成形を行っている（例えば、特許文献１参照）。
【０００３】
特許文献１には、二層成形品の製造方法が開示されている。
この特許文献１の技術においては、成形用の金型を構成する上型に取付部品（インサート取付部品）をセットし、上型を下降させて型締めをした後、キャビティに樹脂を充填して成形を行う。
このため、成形工程の工程数を少なくすることができ、製造時間が短縮されるとともに、製造コストを低減することができる。
【０００４】
【特許文献１】特開２００４−１６７７２０号公報
【発明の開示】
【発明が解決しようとする課題】
【０００５】
しかし、特許文献１に記載された成形品の製造方法によれば、型締めと同時に取付部品（インサート取付部品）が心材に位置決めされ、インサート成形により一体に同時形成される構成となっており、取付部品（インサート取付部品）の後組付けが不要となるが、単に、一般的に行われている所謂インサート成形の方法を示したに過ぎない。
【０００６】
つまり、特許文献１に記載された方法によれば、取付部品（インサート取付部品）を所定位置にセットするのみでよく、その他の加工を必要としないものには適用することが可能であるが、その他の加工（圧入加工、曲げ加工、切断加工、打ち抜き加工、かしめ加工等）が必要な場合には、有効に適用することができず、別途加工工程が必要となり、上記効果を有効に奏することができない。
【０００７】
本発明の目的は、上記各問題点を解決することにあり、インサート成形において、従来の成形機構を大きく変更することなく、インサートされる部品の加工（圧入加工、曲げ加工、切断加工、打ち抜き加工、かしめ加工等）を型締めと同時に行うことができ、成形工程の工程数を少なくし、製造時間を短縮するとともに、製造コストを低減することが可能なインサート成形品の製造方法を提供することにある。
【課題を解決するための手段】
【０００８】
上記課題は、本発明に係るインサート成形品の製造方法によれば、インサート成形品の製造方法であって、上型及び下型の少なくとも一方に、少なくとも一個の被加工インサート部品をセットする第１の工程と、前記上型と前記下型を型締めし、前記上型及び前記下型の型締めにより生じる物理的力を前記被加工インサート部品に加えて、前記被加工インサート部品の状態を変化させて、インサート取付部品とする第２の工程と、前記上型及び前記下型を型締めすることにより形成されるキャビティに溶融樹脂を充填し、前記インサート取付部品をモールド状態とし、前記インサート成形品を形成する第３の工程とを行うことにより解決される。
【０００９】
このように、本発明においては、インサート成形を行う際に、上型及び下型の型締めにより生じる物理的力を被加工インサート部品に加えて、被加工インサート部品の状態を変化させて、インサート取付部品とすることができる。
つまり、型締めと同時に、被加工インサート部品をインサート取付部品へと加工することができる。
【００１０】
一般的に、インサート成形を行う際に、上型若しくは下型にセットされるのは、インサート取付部品である。
つまり、それ自身に加工が必要ない状態まで、完全に加工処理を行った後に、上型若しくは下型にセットする必要がある。
しかし、本発明に係るインサート成形品の製造方法によれば、最終加工前の段階の被加工インサート部品を上型若しくは下型の少なくとも一方にセットすると、型締めにより生じる物理的な力により被加工インサート部品がインサート取付部品（完全に加工処理を行った状態）に自動的に加工される。
【００１１】
よって、別途加工処理を行う必要がない。
このため、インサートされる部品の加工（例えば、圧入加工、曲げ加工、切断加工、打ち抜き加工、かしめ加工等）を型締めと同時に行うことができ、成形工程の工程数を少なくし、製造時間を短縮するとともに、製造コストを低減することができる。
【００１２】
また、請求項１に記載の発明において、前記被加工インサート部品は、第１の組付部品と第２の組付部品で構成されており、前記第１の工程においては、前記上型に前記第１の組付部品をセットするとともに、前記下型に前記第２の組付部品をセットし、前記第２の工程においては、前記上型及び前記下型の型締めにより生じる物理的力により、前記第１の部品を前記第２の部品に圧入するよう構成されていると好適である。
【００１３】
このように構成されていると、インサートされる部品の加工として圧入加工が、型締めにより生じる物理的な力により実行される。
よって、インサートされる部品の圧入工程を型締めと同時に行うことができ、成形工程の工程数を少なくし、製造時間を短縮するとともに、製造コストを低減することができる。
【００１４】
このとき、この加工方法は、回転電機に有効に適用することができる。
つまり、請求項２の発明において、前記第１の組付部品は回転電機の回転シャフトであるとともに、前記第２の組付部品はコア部材であり、前記第２の工程においては、前記コア部材の中心に軸方向に形成されたシャフト貫通孔に、前記回転シャフトを圧入し、前記第２の工程に次いで、前記上型及び前記下型を型締めすることにより形成されるキャビティに溶融樹脂を充填し、前記インサート取付部品をモールド状態とするとともに、前記コア材の表面にインシュレータをモールド状態とする第３の工程を行うことにより、本発明を回転電機の電機子の製造に有効に適用することができる。
【００１５】
更に、請求項１に記載の発明において、前記被加工インサート部品は、第１の組付部品と第２の組付部品で構成されており、前記第１の工程においては、前記上型に前記第１の組付部品をセットするとともに、前記下型に前記第２の組付部品をセットし、前記第２の工程においては、前記上型及び前記下型の型締めにより生じる物理的力により、前記第１の部品を前記第２の部品にかしめるよう構成されていると好適である。
【００１６】
このように構成されていると、インサートされる部品の加工としてかしめ加工が、型締めにより生じる物理的な力により実行される。
よって、インサートされる部品のかしめ工程を型締めと同時に行うことができ、成形工程の工程数を少なくし、製造時間を短縮するとともに、製造コストを低減することができる。
【００１７】
また、請求項１に記載の発明において、前記第１の工程においては、前記被加工インサート部品は、前記上型若しくは前記下型のいずれか一方にセットされ、前記上型及び下型のうち前記被加工インサート部品がセットされている側の型には、前記被加工インサート部品の屈曲点付近を支持するガイド部が形成されており、他方の型には、前記屈曲点を境に前記ガイド部が支持する側と反対側に配設された押圧部が形成されており、前記ガイド部と前記押圧部材は、型締めされた際には前記被加工インサート部品の厚さを超える幅の間隙をもって並列するように構成されており、前記第２の工程においては、前記上型及び前記下型の型締めにより生じる物理的力により、前記被加工インサート部品は前記押圧部材に押圧されて、前記ガイド部と前記押圧部材とで形成される前記間隙に案内され前記屈曲点を境界として屈曲するよう構成されていると好適である。
【００１８】
このように構成されていると、インサートされる部品の加工として曲げ加工が、型締めにより生じる物理的な力により実行される。
よって、インサートされる部品の曲げ工程を型締めと同時に行うことができ、成形工程の工程数を少なくし、製造時間を短縮するとともに、製造コストを低減することができる。
【００１９】
更に、請求項１に記載の発明において、前記第１の工程においては、前記被加工インサート部品は、前記上型若しくは前記下型のいずれか一方にセットされ、前記上型及び下型のうち前記被加工インサート部品がセットされている側の型には、前記被加工インサート部品の切断点付近を支持するガイド部が形成されており、他方の型には、前記切断点を境に前記ガイド部が支持する側と反対側に配設された押圧部が形成されており、前記ガイド部と前記押圧部材は、型締めされた際には前記被加工インサート部品の厚さを超えない幅の間隙をもって並列するように構成されており、前記第２の工程においては、前記上型及び前記下型の型締めにより生じる物理的力により、前記被加工インサート部品は前記押圧部材に押圧されて、前記ガイド部と前記押圧部材とにより生じるせん断力により前記切断点を境界として切断されるよう構成されていると好適である。
【００２０】
このように構成されていると、インサートされる部品の加工として切断加工が、型締めにより生じる物理的な力により実行される。
よって、インサートされる部品の切断工程を型締めと同時に行うことができ、成形工程の工程数を少なくし、製造時間を短縮するとともに、製造コストを低減することができる。
【００２１】
また、請求項１に記載の発明において、前記第１の工程においては、前記被加工インサート部品は、前記下型にセットされ、前記下型の、前記被加工インサート部品の打ち抜き点付近には、凹部として屑受け部が形成されるとともに、前記上型には、穿孔用のパンチが備えられ、前記パンチは、前記打ち抜き点の直上であって、型締めされた際に前記屑受け部に挿入される位置に配設されており、前記第２の工程においては、前記上型及び前記下型の型締めにより生じる物理的力により、前記被加工インサート部品は前記パンチに押圧されて、前記打ち抜き点を打ち抜くよう構成されていると好適である。
【００２２】
このように構成されていると、インサートされる部品の加工として打ち抜き加工が、型締めにより生じる物理的な力により実行される。
よって、インサートされる部品の打ち抜き工程を型締めと同時に行うことができ、成形工程の工程数を少なくし、製造時間を短縮するとともに、製造コストを低減することができる。
【発明の効果】
【００２３】
本発明によれば、インサート成形を行う際に、上型及び下型の型締めにより生じる物理的力を被加工インサート部品に加えて、被加工インサート部品の状態を変化させ、インサート取付部品とすることができる。
つまり、型締めと同時に、被加工インサート部品をインサート取付部品へと加工することができる。
換言すると、本発明に係るインサート成形品の製造方法によれば、最終加工前の段階の被加工インサート部品を上型若しくは下型の少なくとも一方にセットすれば、型締めにより生じる物理的な力により被加工インサート部品がインサート取付部品（完全に加工処理を行った状態）に自動的に加工される。
【００２４】
よって、別途加工処理を行う必要がない。
このため、従来の成形機構を大きく変更することなく、インサートされる部品の加工（例えば、圧入加工、曲げ加工、切断加工、打ち抜き加工、かしめ加工等）を型締めと同時に行うことができ、成形工程の工程数を少なくし、製造時間を短縮するとともに、製造コストを低減することができる。
【発明を実施するための最良の形態】
【００２５】
以下、本発明の実施形態を図面に基づいて説明する。
なお、以下に説明する構成は本発明を限定するものでなく、本発明の趣旨の範囲内で種々改変することができるものである。
本実施形態は、インサート成形において、従来の成形機構を大きく変更することなく、インサート成形品の加工（圧入加工、曲げ加工、切断加工、打ち抜き加工、かしめ加工等）を型締めと同時に行うことができ、成形工程の工程数を少なくし、製造時間を短縮するとともに、製造コストを低減することが可能なインサート成形品の製造方法に関するものである。
【００２６】
図１乃至図１１は、本発明の一実施形態を示すものであり、図１はインサート成形品の製造工程を示す工程図、図２は圧入加工を伴うインサート成形品の製造工程を示す説明図、図３は圧入加工を伴うインサート成形品の従来の製造工程を示す参考図、図４はかしめ工程を伴うインサート成形品の製造工程を示す説明図、図５はかしめ工程を伴うインサート成形品の従来の製造工程を示す参考図、図６は曲げ工程を伴うインサート成形品の製造工程を示す説明図、図７は曲げ工程を伴うインサート成形品の従来の製造工程を示す参考図、図８は切断工程を伴うインサート成形品の製造工程を示す説明図、図９は切断工程を伴うインサート成形品の従来の製造工程を示す参考図、図１０は打ち抜き工程を伴うインサート成形品の製造工程を示す説明図、図１１は打ち抜き工程を伴うインサート成形品の従来の製造工程を示す参考図である。
【００２７】
図１に、本実施形態に係るインサート成形品Ｓの製造工程を示す工程図を示す。
なお、本実施形態に係るインサート成形は、上型１及び下型２を有する金型Ｋを用いて実施される。
この上型１及び下型２には、所定形状に形成された凹部を有しており、これら上型１及び下型２を合わせることによって、成形される部品の形状を有する間隙（キャビティＲ）が形成され、このキャビティＲに軟化させた樹脂を流し込み固化させることにより樹脂製の部品が形成される。
【００２８】
本実施形態においては、上型１及び下型２に加工を加えることにより、型締め時の圧力を利用して、インサート成形と同時に成形品の更なる加工（圧入加工、曲げ加工、切断加工、打ち抜き加工、かしめ加工等）を同時に行うことができる。
このため、従来の成形機構を大きく変更することなく、成形工程の工程数を少なくし、製造時間を短縮するとともに、製造コストを低減することが可能となる。
【００２９】
図１に示すように、本実施形態に係るインサート成形品Ｓの製造工程においては、まず、第１の工程において、被加工インサート部品Ｐ´をキャビティＲ部分に投入する。
次いで、第２の工程において、上型１と下型２とを相対的に近づけて型締めを行う。
この第２の工程の型締め時に、被加工インサート部品Ｐ´の各種加工（圧入加工、曲げ加工、切断加工、打ち抜き加工、かしめ加工等）を同時に行う。
この型締め力により、被加工インサート部品Ｐ´が加工されて、インサート取付部品Ｐとなる。
これらの加工の詳細については、後述する。
【００３０】
その後、第３の工程において、キャビティＲ内に軟化した樹脂を投入した後固化して成形を行い、インサート成形品Ｓを製造する。
また、第４の工程において、インサート成形品Ｓは、第３の工程で樹脂が固化した後、型開きすることにより金型Ｋより取り出される。
【００３１】
次いで、第２の工程の型締め時における被加工インサート部品Ｐ´の各種加工（圧入加工、曲げ加工、切断加工、打ち抜き加工、かしめ加工等）の具体的な方法を、各実施例にて説明する。
【００３２】
（第１実施例）
まず、図２及び図３により、圧入加工を伴うインサート成形品Ｓの製造工程を説明する。
なお、図３は、比較を行うために従来の製造工程を示した従来例の参考図である。
【００３３】
図２（ａ）に示すように、まず、被加工インサート部品Ｐ´を上型１及び下型２にセットする。
本例においては、被加工インサート部品Ｐ´は、当初、圧入部品Ｐ１１及び被圧入部品Ｐ１２に分割されて構成されている。
つまり、この圧入部品Ｐ１１と被圧入部品Ｐ１２とが、分割された状態が、被加工インサート部品Ｐ´である。
図示のように、本例においては、上型１に圧入部品Ｐ１１をセットするとともに、下型２に被圧入部品Ｐ１２をセットする。
これは、図１の第１の工程に相当する。
【００３４】
次いで、図２（ｂ）に示すように、上型１を下型２に相対的に近接させて型締めを行う。
このとき、この型締め力（矢印方向：下型２方向へと向かう下方向への力）により圧入部品Ｐ１１は被圧入部品Ｐ１２に圧入される。
つまり、型締めと同時に、圧入部品Ｐ１１が被圧入部品Ｐ１２に圧入されて、インサート取付部品Ｐ１が形成される。
このように、圧入部品Ｐ１１が被圧入部品Ｐ１２に圧入されて一体となったものが、インサート取付部品Ｐ１となる。
よって、別途圧入加工が不要であり、この型締めと同時に、被圧入部品Ｐ１２への圧入部品Ｐ１１の圧入が完了する。
この図２（ｂ）の工程が図１の第２の工程に相当する。
【００３５】
次いで、図２（ｃ）に示すように、キャビティＲに樹脂を充填して成形を行う。
この工程が図１の第３の工程に相当する。
この後、樹脂が固化した後、インサート成形品Ｓを型開きして、金型Ｋより取り出して一連の成形が完了する。
【００３６】
これに対し、図３に示す従来例においては、図３（ａ）のインサート取付部品Ｐ１の投入時には、インサート取付部品Ｐ１は完成している必要がある。
つまり、図３（ａ）の工程以前に、圧入部品Ｐ１１を被圧入部品Ｐ１２に圧入してインサート取付部品Ｐ１を形成する圧入工程を行う必要がある。
【００３７】
このように、従来例においては、インサート取付部品Ｐ１をセットした後、図３（ｂ）の型締め工程及び図３（ｃ）の成形工程を同様に行う必要が生じる。
つまり、本実施形態に係るインサート成形品Ｓの製造方法において、インサート成形品Ｓを形成するよりも、工程数が多くなり、製造時間及び製造コストの面において不利となる。
【００３８】
なお、本例は、回転電機の電機子を製造する際に有効に適用することができる。
この場合には、圧入部品Ｐ１１は、回転シャフトであり、被圧入部品Ｐ１２はコア部材である。
コア部材は、回転電機に備えられる公知の部材であり、中心に貫通孔が形成された複数枚のコアシートが積層されて形成されている。
【００３９】
この場合、第２の工程においては、被圧入部品Ｐ１２であるコア部材の中心に軸方向に形成されたシャフト貫通孔（コアシート中心部に形成された貫通孔が連通状態で重なったもの）に、圧入部品Ｐ１１である回転シャフトが圧入される。
本例においては、電機子がインサート取付部品Ｐ１に相当する。
この第２の工程に次いで、キャビティＲに溶融樹脂を充填し、インサート取付部品Ｐ１をモールド状態とする第３の工程が行われる。
また、この際、コア材の表面にインシュレータをモールド状態とするとよい。
【００４０】
（第２実施例）
次いで、図４及び図５により、かしめ加工を伴うインサート成形品Ｓの製造工程を説明する。
なお、図５は、比較を行うために従来の製造工程を示した従来例の参考図である。
【００４１】
図４（ａ）に示すように、まず、被加工インサート部品Ｐ´を上型１及び下型２にセットする。
本例においては、被加工インサート部品Ｐ´は、当初、被かしめ部品Ｐ２１及びかしめ部品Ｐ２２に分割されて構成されている。
つまり、この被かしめ部品Ｐ２１とかしめ部品Ｐ２２とが、分割された状態が、被加工インサート部品Ｐ´である。
図示のように、本例においては、上型１に被かしめ部品Ｐ２１をセットするとともに、下型２にかしめ部品Ｐ２２をセットする。
これは、図１の第１の工程に相当する。
【００４２】
次いで、図４（ｂ）に示すように、上型１を下型２に相対的に近接させて型締めを行う。
このとき、この型締め力（矢印方向：下型２方向へと向かう下方向への力）により被かしめ部品Ｐ２１はかしめ部品Ｐ２２にかしめられる。
つまり、型締めと同時に、被かしめ部品Ｐ２１がかしめ部品Ｐ２２にかしめられて、インサート取付部品Ｐ２が形成される。
このように、被かしめ部品Ｐ２１がかしめ部品Ｐ２２にかしめられて一体となったものが、インサート取付部品Ｐ２となる。
よって、別途かしめ加工が不要であり、この型締めと同時に、かしめ部品Ｐ２２への被かしめ部品Ｐ２１のかしめが完了する。
この図４（ｂ）の工程が図１の第２の工程に相当する。
【００４３】
次いで、図４（ｃ）に示すように、キャビティＲに樹脂を充填して成形を行う。
この工程が図１の第３の工程に相当する。
この後、樹脂が固化した後、インサート成形品Ｓを型開きして、金型Ｋより取り出して一連の成形が完了する。
【００４４】
これに対し、図５に示す従来例においては、図４（ａ）のインサート取付部品Ｐ２の投入時には、インサート取付部品Ｐ２は完成している必要がある。
つまり、図４（ａ）の工程以前に、被かしめ部品Ｐ２１をかしめ部品Ｐ２２にかしめてインサート取付部品Ｐ２を形成するかしめ工程を行う必要がある。
このように、インサート取付部品Ｐ２をセットした後、図４（ｂ）の型締め工程及び図４（ｃ）の成形工程を同様に行う必要が生じる。
よって、本実施形態に係るインサート成形品Ｓの製造方法において、インサート成形品Ｓを形成するよりも、工程数が多くなり、製造時間及び製造コストの面において不利となる。
【００４５】
（第３実施例）
次いで、図６及び図７により、曲げ加工を伴うインサート成形品Ｓの製造工程を説明する。
なお、図７は、比較を行うために従来の製造工程を示した従来例の参考図である。
図６（ａ）に示すように、まず、被加工インサート部品Ｐ´を下型２にセットする。
本例においては、被加工インサート部品Ｐ´は、被曲げ部品Ｐ３１として構成されている。
図示のように、本例においては、下型２に被曲げ部品Ｐ３１をセットする。
これは、図１の第１の工程に相当する。
【００４６】
次いで、図６（ｂ）に示すように、上型１を下型２に相対的に近接させて型締めを行う。
また、上型１に押圧部１１と、ガイド部１２が形成されている。
押圧部１１は、上型１に対して上下方向（上型１が動く方向と同方向）に移動可能に構成されている。
【００４７】
この押圧部１１は、その上端部（下型２が配設される側と反対側）が、バネ１３に連結されており、このバネ１３の他端側（押圧部１１が連結されている側と反対側の端部：上端部）は、上型１内部に固定されている。
ガイド部１２は、上型１から下方向（下型２が配設される側）に突出した突部であり、押圧部１１から、被曲げ部品Ｐ３１の厚さ以上離隔して配設される。
また、下型２の押圧部１１直下には、支持部２１が配設されている。
この支持部２１は、押圧部１１から被曲げ部品Ｐ３１の厚さ分離隔して配設される。
【００４８】
このような状態で、上型１を下型２に相対的に近接させて型締めを行うと、被曲げ部品Ｐ３１の一部（押圧部１１の直下に配設される部分）は、押圧部１１と支持部２１に挟持固定される。
このとき、バネ１３の復元力により、被曲げ部品Ｐ３１の一部（押圧部１１の直下に配設される部分）は、より強固に支持部２１に押圧される。
また、ガイド部１２は、そのまま下方向へ下降するため、被曲げ部品Ｐ３１の端部は、このガイド部１２に押され、支持部２１の側面とガイド部１２の側面とで形成される間隙に沿って折り曲げられる。
【００４９】
つまり、このとき、この型締め力（矢印方向：下型２方向へと向かう下方向への力）により、被曲げ部品Ｐ３１は屈曲処理される。
換言すれば、型締めと同時に、被曲げ部品Ｐ３１が折り曲げられて、インサート取付部品Ｐ３が形成される。
よって、別途屈曲げ加工が不要であり、この型締めと同時に、被曲げ部品Ｐ３１の曲げ加工が完了する。
この図６（ｂ）の工程が図１の第２の工程に相当する。
【００５０】
次いで、図６（ｃ）に示すように、キャビティＲに樹脂を充填して成形を行う。
この工程が図１の第３の工程に相当する。
この後、樹脂が固化した後、インサート成形品Ｓを型開きして、金型Ｋより取り出して一連の成形が完了する。
【００５１】
これに対し、図７に示す従来例においては、図７（ａ）のインサート取付部品Ｐ３の投入時には、インサート取付部品Ｐ３は完成している必要がある。若しくは、後加工にて完成体とする必要がある。
つまり、図７（ａ）の工程以前に、被曲げ部品Ｐ３１を折り曲げて、インサート取付部品Ｐ３を形成する曲げ工程を行う必要がある。
このように、インサート取付部品Ｐ３をセットした後、図７（ｂ）の型締め工程及び図７（ｃ）の成形工程を同様に行う必要が生じる。
つまり、本実施形態に係るインサート成形品Ｓの製造方法において、インサート成形品Ｓを形成するよりも、工程数が多くなり、製造時間及び製造コストの面において不利となる。
【００５２】
（第４実施例）
次いで、図８及び図９により、切断加工を伴うインサート成形品Ｓの製造工程を説明する。
なお、図９は、比較を行うために従来の製造工程を示した従来例の参考図である。
図８（ａ）に示すように、まず、被加工インサート部品Ｐ´を下型２にセットする。
本例においては、被加工インサート部品Ｐ´は、被切断部品Ｐ４１として構成されている。
図示のように、本例においては、下型２に被切断部品Ｐ４１をセットする。
これは、図１の第１の工程に相当する。
【００５３】
次いで、図８（ｂ）に示すように、上型１を下型２に相対的に近接させて型締めを行う。
また、上型１に押圧部１１と、ガイド部１２が形成されている。
押圧部１１は、上型１に対して上下方向（上型１が動く方向と同方向）に移動可能に構成されている。
この押圧部１１は、その上端部（下型２が配設される側と反対側）が、バネ１３に連結されており、このバネ１３の他端側（押圧部１１が連結されている側と反対側の端部：上端部）は、上型１内部に固定されている。
【００５４】
ガイド部１２は、上型１から下方向（下型２が配設される側）に突出した突部であり、押圧部１１から所定幅離隔して配設される。
また、下型２の押圧部１１直下には、支持部２１が配設されている。
この支持部２１は、押圧部１１から離隔して配設されるが、この幅は被切断部品Ｐ４１の厚さを超えないよう構成されている。
【００５５】
このような状態で、上型１を下型２に相対的に近接させて型締めを行うと、被切断部品Ｐ４１の一部（押圧部１１の直下に配設される部分）は、押圧部１１と支持部２１に挟持固定される。
このとき、バネ１３の復元力により、被切断部品Ｐ４１の一部（押圧部１１の直下に配設される部分）は、より強固に支持部２１に押圧される。
また、ガイド部１２は、そのまま下方向へ下降するが、上述の通り、支持部２１と押圧部１１との距離（型締め時の両者の距離）は、被切断部材Ｐ４１の幅よりも小さくなるように構成されているため、せん断力が働き、この支持部２１と押圧部１１とので、被切断部品Ｐ４１は切断される。
【００５６】
つまり、このとき、この型締め力（矢印方向：下型２方向へと向かう下方向への力）により、被切断部品Ｐ４１は切断処理される。
換言すれば、型締めと同時に、被切断部品Ｐ４１が切断されて、インサート取付部品Ｐ４が形成される。
よって、別途切断加工が不要であり、この型締めと同時に、被切断部品Ｐ４１の曲げ加工が完了する。
この図８（ｂ）の工程が図１の第２の工程に相当する。
【００５７】
次いで、図８（ｃ）に示すように、キャビティＲに樹脂を充填して成形を行う。
この工程が図１の第３の工程に相当する。
この後、樹脂が固化した後、インサート成形品Ｓを型開きして、金型Ｋより取り出して一連の成形が完了する。
【００５８】
これに対し、図９に示す従来例においては、図９（ａ）のインサート取付部品Ｐ４の投入時には、インサート取付部品Ｐ４は完成している必要がある。若しくは、後加工にて完成体とする必要がある。
つまり、図９（ａ）の工程以前に、被切断部品Ｐ４１を切断して、インサート取付部品Ｐ４を形成する切断工程を行う必要がある。
このように、インサート取付部品Ｐ４をセットした後、図９（ｂ）の型締め工程及び図９（ｃ）の成形工程を同様に行う必要が生じる。
つまり、本実施形態に係るインサート成形品Ｓの製造方法において、インサート成形品Ｓを形成するよりも、工程数が多くなり、製造時間及び製造コストの面において不利となる。
【００５９】
（第５実施例）
次いで、図１０及び図１１により、打ち抜き加工を伴うインサート成形品Ｓの製造工程を説明する。
なお、図１１は、比較を行うために従来の製造工程を示した従来例の参考図である。
図１０（ａ）に示すように、まず、被加工インサート部品Ｐ´を下型２にセットする。
本例においては、被加工インサート部品Ｐ´は、被打ち抜き部品Ｐ５１として構成されている。
図示のように、本例においては、下型２に被打ち抜き部品Ｐ５１をセットする。
これは、図１の第１の工程に相当する。
【００６０】
次いで、図１０（ｂ）に示すように、上型１を下型２に相対的に近接させて型締めを行う。
また、上型１には、パンチ１５が形成されている。
パンチ１５は、上型１に対して上下方向（上型１が動く方向と同方向）に移動可能に構成されている。
このパンチ１５は、その上端部（下型２が配設される側と反対側）が、バネ１３に連結されており、このバネ１３の他端側（パンチ１５が連結されている側と反対側の端部：上端部）は、上型１内部に固定されている。
パンチ１５は、公知のパンチであり、その下端面（下型２と対向する側の面）には穿孔刃が形成されている。
また、下型２のパンチ１５直下には、屑受け部２５が配設されている。
この屑受け部２５は、パンチ１５直下に配設される凹部として形成されている。
【００６１】
このような状態で、上型１を下型２に相対的に近接させて型締めを行うと、被打ち抜き部品Ｐ５１の一部（パンチ１５の直下に配設される部分）は、パンチ１５によって打ち抜かれる。また、打ち抜き屑は、下型２に形成された屑受け部２５に落下して収集される。
このとき、バネ１３の押圧力により、パンチ１５が被打ち抜き部品５１を押圧する力がより強くなる。
つまり、このとき、型締め力（矢印方向：下型２方向へと向かう下方向への力）により、被打ち抜き部品Ｐ５１は打ち抜き処理される。
換言すれば、型締めと同時に、被打ち抜き部品Ｐ５１が打ち抜かれて、インサート取付部品Ｐ５が形成される。
よって、別途打ち抜き加工が不要であり、この型締めと同時に、被打ち抜き部品Ｐ５１の打ち抜き加工が完了する。
この図１０（ｂ）の工程が図１の第２の工程に相当する。
【００６２】
次いで、図１０（ｃ）に示すように、キャビティＲに樹脂を充填して成形を行う。
この工程が図１の第３の工程に相当する。
この後、樹脂が固化した後、インサート成形品Ｓを型開きして、金型Ｋより取り出して一連の成形が完了する。
【００６３】
これに対し、図１１に示す従来例においては、図１１（ａ）のインサート取付部品Ｐ５の投入時には、インサート取付部品Ｐ５は完成している必要がある。若しくは、後加工にて完成体とする必要がある。
つまり、図１１（ａ）の工程以前に、被打ち抜き部品Ｐ５１を打ち抜いて、インサート取付部品Ｐ５を形成する打ち抜き工程を行う必要がある。
このように、インサート取付部品Ｐ５をセットした後、図１１（ｂ）の型締め工程及び図１１（ｃ）の成形工程を同様に行う必要が生じる。
つまり、本実施形態に係るインサート成形品Ｓの製造方法において、インサート成形品Ｓを形成するよりも、工程数が多くなり、製造時間及び製造コストの面において不利となる。
【００６４】
以上、５種類の実施例を説明したが、本発明の趣旨を逸脱するものでなければ、パターンはこれに限られることはない。
例えば、屈曲と打ち抜きを同時に行う等、形成したい形状に応じて、上記各実施例を組み合わせてもよいし、全てが備えられた装置を使用し、必要のない構成のみを金型Ｋから取り外して使用できるように構成されていてもよい。
このように、組み合わせパターンは様々に存在する。
【００６５】
以上のように、本実施形態によれば、インサート成形と同時に、インサート取付部品Ｐ１〜Ｐ５の加工を行うことができるため、各加工工程を別途行う必要がなく、工程数を少なくすることができ、製造時間及び製造コストを低減させることができる。
【図面の簡単な説明】
【００６６】
【図１】本発明の一実施形態に係るインサート成形品の製造工程を示す工程図である。
【図２】本発明の一実施形態に係る圧入加工を伴うインサート成形品の製造工程を示す説明図である。
【図３】圧入加工を伴うインサート成形品の従来の製造工程を示す参考図である。
【図４】本発明の一実施形態に係るかしめ工程を伴うインサート成形品の製造工程を示す説明図である。
【図５】かしめ工程を伴うインサート成形品の従来の製造工程を示す参考図である。
【図６】本発明の一実施形態に係る曲げ工程を伴うインサート成形品の製造工程を示す説明図である。
【図７】曲げ工程を伴うインサート成形品の従来の製造工程を示す参考図である。
【図８】本発明の一実施形態に係る切断工程を伴うインサート成形品の製造工程を示す説明図である。
【図９】切断工程を伴うインサート成形品の従来の製造工程を示す参考図である。
【図１０】本発明の一実施形態に係る打ち抜き工程を伴うインサート成形品の製造工程を示す説明図である。
【図１１】打ち抜き工程を伴うインサート成形品の従来の製造工程を示す参考図である。
【符号の説明】
【００６７】
１‥上型、１１‥押圧部、１２‥ガイド部、１３‥バネ、１５‥パンチ、
２‥下型、２１‥支持部、２５‥屑受け部、
Ｋ‥金型、
Ｐ，Ｐ１，Ｐ２，Ｐ３，Ｐ４，Ｐ５‥インサート取付部品、
Ｐ´‥被加工インサート部品、
Ｐ１１‥圧入部品、Ｐ１２‥被圧入部品、Ｐ２１‥被かしめ部品、Ｐ２２‥かしめ部品、Ｐ３１‥被曲げ部品、Ｐ４１‥被切断部品、Ｐ５１‥被打ち抜き部品、
Ｒ‥キャビティ、
Ｓ‥インサート成形品
【図１】
2010131781.tif 000003
【図２】
2010131781.tif 000004
【図３】
2010131781.tif 000005
【図４】
2010131781.tif 000006
【図５】
2010131781.tif 000007
【図６】
2010131781.tif 000008
【図７】
2010131781.tif 000009
【図８】
2010131781.tif 000010
【図９】
2010131781.tif 000011
【図１０】
2010131781.tif 000012
【図１１】
2010131781.tif 000013